(57)【要約】      （修正有）【課題】ファンユニットを保持および制振する性能を維持しつつ、ファンユニットを電子機器に取り付ける作業効率を高める技術を提供する。【解決手段】取り付け孔を有するファンユニットに装着される、ファンユニットの保持部材であって、保持部材は、ファンユニットの側面に巻きつけられた場合に複数の側面それぞれに対応する平板部が、連結されている。また、平板部それぞれは、ファンユニットの取り付け孔に挿入されるボス部を有する。【選択図】図１
2010283254.tif 000002
【特許請求の範囲】
【請求項１】
取り付け孔を有するファンユニットに装着される、ファンユニットの保持部材であって、
前記ファンユニットの側面に巻きつけられた場合に複数の側面それぞれに対応する平板部が、連結されており、
前記平板部それぞれは、前記取り付け孔に挿入されるボス部を有する、
ことを特徴とする保持部材。
【請求項２】
請求項１に記載の保持部材であって、
前記平板部は、少なくとも一部の幅が前記ファンユニットの側面の幅よりも広く形成されている、
ことを特徴とする保持部材。
【請求項３】
請求項１または２に記載の保持部材であって、
前記平板部は、両側に支持部が連結されており、
前記ボス部は、前記支持部の上に形成されており、前記平板部が前記ファンユニットの側面に巻きつけられた場合に、前記支持部が直角に曲げられることにより前記取り付け孔に挿入される、
ことを特徴とする保持部材。
【請求項４】
請求項３に記載の保持部材であって、
前記平板部と前記支持部の連結部分には、Ｖ字形状の溝が形成されている、
ことを特徴とする保持部材。
【請求項５】
請求項１〜４いずれか一項に記載の保持部材であって、
前記平板部それぞれの連結部分には、Ｖ字形状の溝が形成されている、
ことを特徴とする保持部材。
【請求項６】
請求項１〜５いずれか一項に記載の保持部材であって、
前記ボス部は、上部がテーパ状に形成されている
ことを特徴とする保持部材。
【請求項７】
請求項１〜６いずれか一項に記載の保持部材であって、
弾性部材により一体形成されている、
ことを特徴とする保持部材。
【発明の詳細な説明】
【技術分野】
【０００１】
本発明は、ファンユニットの保持部材に関する。
【背景技術】
【０００２】
車載用のナビゲーション装置、オーディオ装置などの電子機器は、内部の熱源となる部品から発生する熱を電子機器の外部に排出するため、ファンユニットを備えている。このようなファンユニットは、ファンの動作に伴う振動などによって発生する騒音を低減させるため、保持部材（制振部材）を介して電子機器に取り付けられる（例えば、特許文献１）。
【先行技術文献】
【特許文献】
【０００３】
【特許文献１】特開２００８−１２４２５７号公報
【発明の概要】
【発明が解決しようとする課題】
【０００４】
ファンユニットを電子機器に取り付けるための保持部材として、ファンユニットの筐体の４隅それぞれに覆い被せる形状の部材や、ファンユニットの筐体の全体に覆い被せる形状（前面および裏面の一部に開口を有する箱状）の部材、などが考えられる。
【０００５】
例えば、図５に示すように、ファンユニット１の隅に取り付ける保持部材５は、まず、ファンユニット１の４隅それぞれに取り付けられる。それから、その状態のまま、電子機器（不図示）の筐体に固定するための矩形状のブラケット８に嵌め込まれる。そして、ブラケット８は、電子機器の筐体の所定位置に取り付けられる。このようにして、ファンユニット１は、電子機器に取り付けられる。
【０００６】
しかしながら、上記のようなファンユニット１の隅に覆い被せる形状の保持部材５は、ファンユニット１から外れたり、位置ずれたり、歪んだりし易い。そのため、ファンユニット１をブラケット８の的確な位置に嵌め込む作業効率が低下する。また、保持部材５の位置ずれしたり歪んだりすると、ブラケット８内でファンユニット１が位置ずれし、振動が発生し易くなる。箱状の保持部材を用いた場合には、ファンユニット１を当該保持部材に嵌め込むのがより困難であり、作業効率が低下する。
【０００７】
そこで、本発明は、ファンユニットを保持および制振する性能を維持しつつ、ファンユニットを電子機器に取り付ける作業効率を高める技術を提供することを目的とする。
【課題を解決するための手段】
【０００８】
上記の課題を解決するための本発明の一態様は、取り付け孔を有するファンユニットに装着される、ファンユニットの保持部材であって、前記ファンユニットの側面に巻きつけられた場合に複数の側面それぞれに対応する平板部が、連結されており、前記平板部それぞれは、前記取り付け孔に挿入されるボス部を有する、ことを特徴とする。
【０００９】
ここで、上記の保持部材であって、前記平板部は、少なくとも一部の幅が前記ファンユニットの側面の幅よりも広く形成されていてもよい。また、上記のいずれかの保持部材であって、前記平板部は、両側に支持部が連結されており、前記ボス部は、前記支持部の上に形成されており、前記平板部が前記ファンユニットの側面に巻きつけられた場合に、前記支持部が直角に曲げられることにより前記取り付け孔に挿入されてもよい。
【００１０】
また、上記のいずれかの保持部材であって、前記平板部と前記支持部の連結部分には、Ｖ字形状の溝が形成されていてもよい。また、上記のいずれかの保持部材であって、前記平板部それぞれの連結部分には、Ｖ字形状の溝が形成されていてもよい。また、上記のいずれかの保持部材であって、前記ボス部は、上部がテーパ状に形成されていてもよい。また、上記のいずれかの保持部材であって、弾性部材により一体形成されていてもよい。
【発明の効果】
【００１１】
本発明によれば、ファンユニットを保持および制振する性能を維持しつつ、ファンユニットを電子機器に取り付ける作業効率を高めることができる。
【図面の簡単な説明】
【００１２】
【図１】本発明の一実施形態の保持部材１０の外観を示す斜視図である。
【図２】保持部材１０をファンユニット１に取り付けた状態を示す斜視図である。
【図３】本発明の一実施形態の一変形例の保持部材１０の上面の外観を示す図である。
【図４】本発明の一実施形態の他の変形例の保持部材１０の上面の外観を示す図である。
【図５】ファンユニット１を電子機器に取り付ける手順を説明する図である。
【発明を実施するための形態】
【００１３】
本発明の一実施形態について図面を参照して説明する。
【００１４】
図１は、本発明の一実施形態の保持部材１０の外観を示す斜視図である。図２は、保持部材１０をファンユニット１に取り付けた状態を示す斜視図である。
【００１５】
本実施形態では、ファンユニット１について、ファンが見える面を「前面」、前面の反対面を「背面」、前面および背面に直交する面を「側面」と呼ぶものとする。また、ファンユニット１には、前面から背面に貫通する取り付け孔２が、４隅に１つずつ形成されているものとする（図５参照）。
【００１６】
図１および図２に示すように、保持部材１０は、ファンユニット１の側面に巻きつけられて、ファンユニット１に取り付けられる。そのため、平板状の形状となっている。保持部材１０は、振動を吸収できる素材で作られる。例えば、熱可塑性エラストマー、熱硬化性エラストマー、ゴムなどの弾性部材で作られる。保持部材１０は、例えば、金型を用いた射出成形により一体成形される。
【００１７】
保持部材１０についてより詳細に説明する。
【００１８】
保持部材１０は、平板部２０が４つ連結された略矩形の帯形状である。
【００１９】
平板部２０それぞれは、ファンユニット１の４つの側面それぞれと対応する。平板部２０は、おおよそ縦Ｌ×横Ｗ１の大きさである。Ｌは、ファンユニット１の側面の長さ（長い方の辺の長さ）とおおよそ対応する。Ｗ１は、ファンユニット１の側面の幅（短い方の辺の長さ）とおおよそ対応する。
【００２０】
また、平板部２０は、隣接する平板部２０と連結部７０により連結されている。連結部７０は、下面（Ｚ２側）に断面Ｖ字形状の溝が形成されている。この溝により、保持部材１０がファンユニット１の側面に巻きつけられる際に、連結部７０が上面側（Ｚ１側）に曲げ易くなっている。
【００２１】
また、平板部２０は、両側（Ｙ１およびＹ２側）に、延長部３０および支持部４０を有する。延長部３０および支持部４０は、平板部２０の中心（対角線交点）を基準として、逆側の延長部３０および支持部４０と点対称の位置に形成されている。支持部４０は、保持部材１０がファンユニット１の側面に巻きつけられ、支持部４０が平板部２０と直角に曲げられた際に、ボス部６０が対応するファンユニット１の取り付け孔２（図３参照）に嵌め込まれるような位置に形成される。
【００２２】
平板部２０および延長部３０を含む長さＷ２は、ファンユニット１の側面の幅よりも長い。すなわち、保持部材１０がファンユニット１の側面に巻きつけられた際に、両側の延長部３０がファンユニット１の前面および背面側に出っ張る。この延長部３０により、ファンユニット１がその正面側および背面側に配置される電子機器内の部品等と直接接触しにくくなる。
【００２３】
支持部４０は、平板部２０と連結部５０により連結されている。連結部５０は、下面（Ｚ２側）にＶ字形状の溝が形成されている。この溝により、保持部材１０がファンユニット１の側面に巻きつけられる際に、連結部５０が上面側（Ｚ１側）に曲げ易くなっている。
【００２４】
支持部４０の上面（Ｚ１側）には、上面方向に垂直に延びるボス部６０が形成されている。ボス部６０は、保持部材１０がファンユニット１の側面に巻きつけられた際に、支持部４０が平板部２０と直角に曲げられることにより、ファンユニット１の取り付け孔２（図３参照）に挿入される。このボス部６０により、保持部材１０が位置決めされる。ボス部６０は、略円柱の形状であり、上部分が先細りのテーパ状に形成されている。
【００２５】
以上、本発明の一実施形態について説明した。本実施形態によれば、ファンユニットを保持および制振するの性能を維持しつつ、ファンユニットを電子機器に取り付ける作業効率を高めることができる。
【００２６】
すなわち、本実施形態では、保持部材をファンユニットに巻きつける形状としている。これにより、保持部材がファンユニットから簡単に外れたり、保持部材をファンユニットに取り付けるのが困難であったりという問題を解消でき、作業効率が高まる。
【００２７】
また、本実施形態では、保持部材にボス部を設けている。これにより、ファンユニットに保持部材を的確に取り付ける作業効率が高まる。また、保持部材が外れたり、位置ずれしたり、歪んだりしにくくなり、作業効率およびファンユニットを保持および制振する性能を向上できる。
【００２８】
また、保持部材の一部の横幅をファンユニットの側面の幅より広くしている。これにより、ファンユニットを保持および制振する性能を向上できる。また、保持部材の曲げる部分にＶ字形状の溝を設けている。これにより、ファンユニットに保持部材を取り付ける作業効率を高めることができる。
【００２９】
また、本実施形態の保持部材は、単純な板状の形状である。そのため、例えば、金型による一体成形のコストを削減できる。
【００３０】
なお、上記の本発明の実施形態は、本発明の要旨と範囲を例示することを意図し、限定するものではない。多くの代替物、修正および変形例が当業者にとって明らかである。例えば、延長部や支持部の配置、形状などは上記に限られない。また、平板部の大きさ、形状などは上記に限られない。また、ボス部の長さ、形状などは上記に限られない。また、支持部およびボス部の数は、ファンユニットの取り付け孔の数に応じて、決定されればよい。
【００３１】
具体的には、保持部材１０を、図３に示すような形状としてもよい。本図に示すように、保持部材１０は、図の左から順に、平板部２１、３つの平板部２０、平板部２１が連結された略矩形の形状である。平板部２０それぞれは、ファンユニット１の３つの側面それぞれと対応する。一方、２つの平板部２１は、ファンユニット１の同じ１つの側面と対応する。すなわち、平板部２１の長さは、平板部２０の縦Ｌの長さのおおよそ半分となっている。また、延長部３１の長さも、延長部３０の縦の長さのおおよそ半分となっている。
【００３２】
延長部３０および支持部４０は、平板部２０の中心を基準として、逆側の延長部３０および支持部４０と線対称の位置に形成されている。なお、３つのうち真ん中の平板部２０には、支持部４０は設けられていない。また、延長部３１および支持部４１は、平板部２１の中心を基準として、逆側の延長部３１および支持部４１と線対称の位置に形成されている。
【００３３】
また、保持部材１０を、図４に示すような形状としてもよい。本図の保持部材１０は、図３の保持部材１０と異なり、両端部８０が斜めにカットされた形状となっている。すなわち、保持部材１０がファンユニット１の側面に巻きつけられた際に、向かい合う両端部８０の間の隙間が斜めに形成される。この形状により、ファンユニット１による熱の排出効率を向上することができる。
【００３４】
以上のような変形例においても、上記の本発明の一実施形態と同様の効果を得られる。
【符号の説明】
【００３５】
１：ファンユニット、２：取り付け孔、５：保持部材、８：ブラケット、１０：保持部材、２０：平板部、２１：平板部、３０：延長部、３１：延長部、４０：支持部、４１：支持部、５０：連結部、６０：ボス部、７０：連結部、８０：端部
【図１】
2010283254.tif 000003
【図２】
2010283254.tif 000004
【図３】
2010283254.tif 000005
【図４】
2010283254.tif 000006
【図５】
2010283254.tif 000007